(57)【要約】【課題】カップホルダの不使用時には機器のケーシングの内側に収納し、使用時には外側へ引き出して使用しうるようにした建設機械のカップホルダに関する。【解決手段】この発明のカップホルダ１は、建設機械の運転室内で、機器のケーシング１５から突出するように装着されており、不使用時には、ホルダ本体２をケーシング１５の開口部１６の中に収納し、使用時には、前記開口部１６から外側へ変位させてホルダ本体２を使用位置へ変位させる作動部３を有してなることを特徴とする。前記ケーシング１５はコンソールボックスのケーシングからなっており、カップホルダの不使用時に、ホルダ本体２の外壁面がケーシング１５の開口部１６を塞ぐようになっている。【選択図】  図１
2005335539.tif 000002
【特許請求の範囲】
【請求項１】
建設機械の運転室内で、機器のケーシングから突出するように設けられたカップホルダにおいて、
不使用時には、ホルダ本体を機器のケーシングの開口部の中に収納し、
使用時には、前記開口部から外側へ変位させてホルダ本体を使用位置へ変位させる作動部を有してなることを特徴とする建設機械のカップホルダ。
【請求項２】
ケーシングがコンソールボックスのケーシングからなっていることを特徴とする請求項１に記載の建設機械のカップホルダ。
【請求項３】
カップホルダの不使用時に、ホルダ本体の外壁面がケーシングの開口部を塞ぐようになっていることを特徴とする請求項１または２に記載の建設機械のカップホルダ。
【請求項４】
作動部が、ケーシングの開口部に設けられた係合部と、ホルダ本体の上部側に設けられて前記係合部にガイドされて外側へ傾動可能な円弧状のガイドアームとからなっており、
該ガイドアームの先端に前記ホルダ本体の上部を枢着してなることを特徴とする請求項１から３に記載のカップホルダ。
【請求項５】
作動部が、ケーシングの開口部に設けられた係合部と、ホルダ本体の上部側に設けられて前記係合部にガイドされて外側へ傾動可能な円弧状のガイドアームとからなっており、
該ホルダ本体の中途位置にはホルダ本体の上部に対してホルダ本体の下部を枢動可能に連結する枢軸部を設けていると共に、該ホルダ本体が起立姿勢のまま開口部に挿入されており、
上記ホルダ本体をガイドアームを介して開口部から外側へ引き出した際に、ホルダ本体の下部が前記枢軸部を支点にして外側へ枢動して開き、カップを収納しうることを特徴とする請求項１から３のいずれかに記載のカップホルダ。
【請求項６】
作動部が平行リンク機構からなっており、該平行リンク機構の先端にホルダ本体を固着してなることを特徴とする請求項１から３のいずれかに記載の建設機械のカップホルダ。
【請求項７】
作動部が、開口部を塞ぐ回転板の略中央で上下に枢軸を有して枢着されて前記回転板を回転可能にしており、上記回転板の一側にはホルダ本体を形成してなることを特徴とする請求項１から３のいずれかに記載の建設機械のカップホルダ。
【請求項８】
ホルダ本体が、１本の支柱部に上下多段に複数のホルダ本体の外側端部を枢着しており、前記支柱部の枢着位置を支点にして複数のホルダ本体をそれぞれが重ならないように異なる角度に変位して、いずれも使用しうるようにしたことを特徴とする請求項１から３のいずれかに記載の建設機械のカップホルダ。
【請求項９】
作動部が、ケーシングの開口部に設けられた係止部と、ホルダ本体の上部側に設けられて前記係止部にガイドされて外側へ枢動可能な略直角に曲成されたガイドアームとからなっており、
ホルダ本体を開口部に収納する際にはホルダ本体の底面部が開口を塞ぐように配置し、開口部から外側下方へ引き出しホルダ本体が略９０度変位して底面部が下向きになるようにしたことを特徴とする請求項１から３のいずれかに記載の建設機械のカップホルダ。
【発明の詳細な説明】
【技術分野】
【０００１】
本発明は、建設機械の運転室内に設けられたカップホルダの改良に関する。
【背景技術】
【０００２】
建設機械の運転室Ｃ内には、図１２に示すように、紙コップや缶、ボトルなどのカップ類を保持するためのカップホルダ１１が、例えば、運転席１７の右側（作業アタッチメント側）のコンソールボックス１４のケーシング１５前面に突出するように固着されている（特開２００４−４２７３０号）。
このカップホルダ１１は固定されているので、狭い運転室Ｃ内において、オペレータの作業視界を妨げている。
また、カップホルダ１１は、常時、外側に突出しているので、運転室Ｃという限られたスペースを制限することになる。
【特許文献１】特開２００４−４２７３０号  図１参照
【発明の開示】
【発明が解決しようとする課題】
【０００３】
この発明の解決しようとする問題点は、カップホルダの不使用時には機器のケーシングの内側に収納して外側へ突出させず、使用時には外側へ引き出して使用しうるようにした建設機械のカップホルダを提供することにある。
【課題を解決するための手段】
【０００４】
上記課題を解決するために、請求項１の発明では、
建設機械の運転室内で、機器のケーシングから突出するように設けられたカップホルダにおいて、
不使用時には、ホルダ本体を機器のケーシングの開口部の中に収納し、使用時には、前記開口部から外側へ変位させてホルダ本体を使用位置へ変位させる作動部を有してなることを特徴とする。
請求項２の発明では、
前記ケーシングがコンソールボックスのケーシングからなっていることを特徴とする。
請求項３の発明では、
前記カップホルダの不使用時に、ホルダ本体の外壁面がケーシングの開口部を塞ぐようになっていることを特徴とする。
【０００５】
請求項４の発明では、
前記作動部が、ケーシングの開口部に設けられた係合部と、ホルダ本体の上部側に設けられて前記係合部にガイドされて外側へ傾動可能な円弧状のガイドアームとからなっており、該ガイドアームの先端に前記ホルダ本体の上部を枢着してなることを特徴とする。
また、請求項５の発明では、
前記作動部が、ケーシングの開口部に設けられた係合部と、ホルダ本体の上部側に設けられて前記係合部にガイドされて外側へ傾動可能な円弧状のガイドアームとからなっており、該ホルダ本体の中途位置にはホルダ本体の上部に対してホルダ本体の下部を枢動可能に連結する枢軸部を設けていると共に、該ホルダ本体が起立姿勢のまま開口部に挿入されており、上記ホルダ本体をガイドアームを介して開口部から外側へ引き出した際に、ホルダ本体の下部が前記枢軸部を支点にして外側へ枢動して開き、カップを収納しうることを特徴とする。
更に、請求項６の発明では、
前記作動部が平行リンク機構からなっており、該平行リンク機構の先端にホルダ本体を固着してなることを特徴とする。
また、請求項７の発明では、
前記作動部が、開口部を塞ぐ回転板の略中央で上下に枢軸を有して枢着されて前記回転板を回転可能にしており、上記回転板の一側にはホルダ本体を形成してなることを特徴とする。
請求項８の発明では、
前記ホルダ本体が、１本の支柱部に上下多段に複数のホルダ本体の外側端部を枢着しており、前記支柱部の枢着位置を支点にして複数のホルダ本体をそれぞれが重ならないように異なる角度に変位して、いずれも使用しうるようにしたことを特徴とする。
また、請求項９の発明では、
前記作動部が、ケーシングの開口部に設けられた係止部と、ホルダ本体の上部側に設けられて前記係止部にガイドされて外側へ枢動可能な略直角に曲成されたガイドアームとからなっており、ホルダ本体を開口部に収納する際にはホルダ本体の底面部が開口を塞ぐように配置し、開口部から外側下方へ引き出しホルダ本体が略９０度変位して底面部が下向きになるようにしたことを特徴とする。
【発明の効果】
【０００６】
本発明の建設機械のカップホルダは、不使用時には機器のケーシングの内側に収納して外側へ突出せず、使用時には突出させて使用に供するので、不使用時にはオペレータの作業視界を妨げることがないと共に、運転室という限られたスペースを有効利用することが可能となる。
【発明を実施するための最良の形態】
【０００７】
不使用時には、ホルダ本体を機器のケーシングの開口部の中に収納し、使用時には、前記開口部から外側へ変位させてホルダ本体を使用位置へ変位させる作動部を設けることで、不使用時における視野の確保やスペースの拡大を実現した。
【実施例１】
【０００８】
本実施例でカップホルダ１は、図１２に示したような運転席Ｃの右側で作業アタッチメント側のコンソールボックス１４のケーシング１５前面側に装着される。
この実施例１のカップホルダ１は、図１および図２に示すように、ホルダ本体２と作動部３とからなっており、前記ケーシング１５前面の開口部１６に出没自在に装着されている。
【０００９】
即ち、ホルダ本体２は、中途位置で上下に二分割された上部本体２ａと下部本体２ｂとからなり、該上部本体２ａと下部本体２ｂとを横方向に延びる枢軸で枢着して枢動自在にする枢軸部２ｃを設けている。
この枢軸部２ｃの位置は、ホルダ本体２の中央より上方寄りに配置するのが好ましい。
図示例の場合、上部本体２ａは扁平なプレート状からなっており、その左右両側の上部に、一対の円弧状のガイドアーム４を一体に形成している。
【００１０】
このガイドアーム４は、図示例の場合に、中央に枢軸部２ｃの延出方向に沿って円弧状に延びる長孔４ａを穿設しており、前記ケーシング１５の開口部１６の口縁部に固設された係合軸５が前記長孔４ａに嵌合している。
これにより、オペレータがホルダ本体２を引き出せば、前記ガイドアーム４が係合軸５にガイドされて円弧状に摺動して、図１（ａ）の起立姿勢から図１（ｂ）に示すように上部本体２ａを外側へ斜めに傾動させることができる。
このように本実施例では前記ガイドアーム４の長孔４ａと係合軸５とが作動部３を構成している。
【００１１】
次ぎに、下部本体２ｂは、上部本体２ａと同じ幅で垂下する扁平なプレート状の下部基板部２２と、その中途位置で左右側方から開口部１６側へ向かって突出する側方拘束片２３と、下端から開口部１６側へ向かって突出する底壁片部２４とからなっている。
ここで底壁片部２４はカップホルダ１を使用位置に開いた際にも開口部１６の下縁から離れてフリーになることがないよう拘束可能にしておけば、収納位置に戻す際にスムーズに戻すことができる。
【００１２】
この際、前記枢軸部２ｃの位置を前述のように上方とすることで、下部本体２ｂが枢動しやすくなるが、枢軸部２ｃの位置は中央や下方であってもよい。
これにより、上部本体２ａおよび下部本体２ｂと開口部１６側のケーシング１５とで保持対象のカップを前後で拘束し、底壁片部２４がカップの底部を支承し、側方拘束片２３がカップの左右を拘束して、カップを保持することができる。
また、上部本体２ａは、下部本体２ｂに対して外側へ傾斜するのでカップとの間に隙間が形成され、カップを取り出しやすくすることができる。
【００１３】
不使用時には、上部本体２ａまたは下部本体２ｂを開口部１６側へ押すことで、前記とは逆の手順で１が開口部１６に収納される。
カップホルダ１が開口部１６内に収納されると、上部本体２ａと下部本体２ｂは同一平面状となって、開口部１６を塞ぐことができる。
上記実施例では下部本体２ｂの自重により下部本体２ｂが枢軸部２ｃを支点として鉛直方向に付勢されるように枢軸部２ｃの位置を調整したが、バネやスプリングなどの付勢手段を設けて下部本体２ｂを常時鉛直方向に付勢するようにしてもよい。
【００１４】
上記各実施例では、ガイド手段としてガイドアーム４に円弧状に長孔４ａを形成し、係合軸５を掛け止めて傾動をガイドさせる構成としたが、逆にガイドアーム４をレールとし、開口部１６側には上記レールを受けるガイド溝を設けておく構造としてもよい。
その他、ガイド手段の構造は上記実施例に限らず、上部本体２ａを外方へ斜めに引き出しうる構造であればよい。
【実施例２】
【００１５】
図３は、実施例１の枢着位置を、ガイドアーム４とホルダ本体２の連結位置とした実施例２のカップホルダ１を示す。
このカップホルダ１では、ガイドアーム４の先端が、ホルダ本体２の左右両側の上部と枢着されており、ホルダ本体２は自重により鉛直姿勢となるように取り付けられている。
また、開口部１６側には、係合軸５と共にガイドアーム４をガイドすると共にガイドアーム４の姿勢を拘束するストッパＳが併せて設けられており、ガイドアーム４の変位を一定に保持している。
【００１６】
これにより、ガイドアーム４の変位によりホルダ本体２を開口部１６内の収納位置から外側へ引き出し、前記枢着位置を支点としてホルダ本体２が鉛直姿勢に枢動して使用位置に変位することができる。
その他の構成は実施例１の構成に準じるので、その説明を省略する。
【実施例３】
【００１７】
実施例３のカップホルダ１を図４に示す。
このカップホルダ１の作動部３は、ホルダ本体２を直線状に伸縮させる構造、図示例ではパンタグラフ式の平行リンク機構３０からなっている。
即ち、ケーシング１５の開口部１６の内壁と、ホルダ本体２との間には、左右両側に一対の平行リンク機構３０の基端側と先端側の端部（３１、３２）がそれぞれ枢着されており、上記平行リンク機構３０を進退自在に拡縮して、ホルダ本体２を開口部１６内側となる収納位置（図４（ａ）参照）と、開口部１６から外方へ突出した使用位置（図４（ｂ）参照）とに変位することができる。
【００１８】
図示例では、平行リンク機構３０を縮めた際にホルダ本体２が開口部１６内に収納されるように、平行リンク機構３０の基端側の枢着位置３１を決定し、これを支持する支持片６をケーシング１５の内壁に突設している。
この場合にも、必要に応じて、上記平行リンク機構３０を縮小方向に付勢する付勢手段を取り付けてもよい。
【００１９】
これにより、不使用時にカップホルダ１は開口部１６内に収納されて開口部１６を塞いでいるので、使用時には、ホルダ本体２を外側に引っ張ることで平行リンク機構３０が拡張してホルダ本体２をカップを収納する使用位置まで変位することができる。
そして、不使用時には、ホルダ本体２を開口部１６内へ押し込むと、平行リンク機構３０が縮み、前述のように開口部１６内に収納することができる。
【００２０】
図示例では、平行リンク機構３０を左右一対に設けたが、平行リンク機構は１つであってもよい。
また、ホルダ本体２の形状は、図示例では、プレート状の本体の下端を開口部１６側へ突出させて底壁片部２４を形成する略Ｌ型形状とし、平行リンク機構に側方拘束片の機能を持たせたが、この形状に限定されるものではなく、要するにカップ類を保持しうる形状であれば、その他の形状であってもよい。
【実施例４】
【００２１】
また、作動部３は、図５に示すように、シリンダ構造であってもよい。
図示例では、テレスコープ型のシリンダ３０’を用いたが、１つの伸縮アームを有する構造であってもよい。
そして、このシリンダ３０’の一端をホルダ本体２に固定することで、シリンダ３０’の伸縮動によってホルダ本体２を直線状に伸縮させ、不使用位置（図５（ａ）参照）と使用位置（図５（ｂ）参照）とに変位することができる。
【００２２】
このシリンダはホルダ本体２の左右両側に一対設けたが、１つを中央に取り付ける構成であってもよい。
またホルダ本体２は有底の筒状を示したが、その他適宜構成であってもよい。
その他の構成は、前記図４の実施例に準じる。
【実施例５】
【００２３】
次ぎに、図６は実施例５のカップホルダ１を示す。
このカップホルダ１の作動部３は、ホルダ本体２の背面に一体に設けた回転プレート７を１８０度回転して、ホルダ本体２を出没させる回転戸のような構造からなっている。
上記カップホルダ１は、ケーシング１５の開口部１６に固着された連結板１５’の中央に矩形の窓部１６’が穿設されている。
そして、該窓部１６’に窓部１６’を塞ぐ回転プレート７が回転自在に取り付けられており、該回転プレート７の一側面にはホルダ本体２が一体に形成されている。
【００２４】
即ち、ホルダ本体２が形成された回転プレート７は、その中央の上下に、前記窓部１６’との間に同軸線状に一対の枢軸部８が突設されており、前記回転プレート７を回転自在に保持している。
従って、図６（ａ）の不使用位置から、回転プレート７の左右一側を押して、回転プレート７を枢軸部８を支点にして半回転（１８０度回転）すると、回転プレート７のホルダ本体２を有する反対面が現れ、使用位置に変位する。
そこで、上記ホルダ本体２にカップ類を嵌め込んで使用に供する。
【００２５】
なお、前記枢軸部８には、ホルダ本体２が開口部１６内に収納される不使用位置の方向に回転プレート７を付勢する付勢手段を設けてもよい。
あるいは、回転プレート７が半回転するごとに解除可能に掛止めるロック機構を設けてもよい。
また、図示例では、連結板１５’はケーシング１５と別体として開口部１６の大きさが異なっても使用しうるようにしたが、この発明では、連結板１５’を設けずにケーシング１５の開口部１６を窓部１６’として、回転プレート７を取り付ける構造であってもよいこと勿論である。
【実施例６】
【００２６】
次ぎに、実施例６のカップホルダ１を図７に示す。
このカップホルダ１は、ホルダ本体２が、１本の支柱部２Ｐに上下多段に複数のホルダ本体２、２の外側端部を枢着して同軸線上に並べており、前記支柱部２Ｐの枢着位置を支点にして複数のホルダ本体２、２をそれぞれが重ならない角度に変位して、いずれも使用しうる構成からなっている。
【００２７】
上記カップホルダ１は、図示例の場合、１段目が略リング状からなる第１ホルダ本体２の上段拘束部２０Ａ、２段目が同じくリング状からなる第２ホルダ本体（説明の便宜上２’とする）の上段拘束部２０Ｂ、３段目が底面部１２を有するカップ状の第１ホルダ本体の下段受部２０Ｃ、４段目が同じくカップ状の第２ホルダ本体の下段受部２０Ｄの各構成部からなっている。
この発明では、上記構成部の数は上記実施例の４段に限定されず、複数であればよい。
【００２８】
これらのホルダ本体の各構成部は、それぞれ支柱部２Ｐに個別に枢着されているだけの構成であってもよいが、一対となる構成部（２０Ａと２０Ｃ、２０Ｂと２０Ｄ）が連動する構成であってもよい。
図示例の場合、第１ホルダ本体２の上段拘束部２０Ａと下段受部２０Ｃとは第１連結部２１ａによってつながっており、第２ホルダ本体２の上段拘束部２０Ｂと下段受部２０Ｄとは前記第１連結部２１ａと対峙する位置に設けられた第２連結部２１ｂによってつながっている。
上記第１および第２連結部２１ａ、２１ｂは、上部拘束部と下部受部（２０Ａと２０Ｃ、２０Ｂと２０Ｄ）の間が円柱状となって内側へも突出するように形成されている。
【００２９】
一方、少なくとも２段目の第２ホルダ本体２の上段拘束部２０Ｂと、３段目の第１ホルダ本体の下段受部２０Ｃには、前記第１連結部２１ａまたは第２連結部２１ｂの円柱状で内側へ突出する部分を嵌め込むためのスリット２１ｃ、２１ｄが形成されている。
なお、図示例では、デザイン上、ホルダ本体２の全ての構成部に対となるスリット２１ｃ’、２１ｄ’が形成されている。
【００３０】
上記構成からなっているので、単一のカップホルダとして使用する場合には、図７（ａ）に示すように、全ての構成部（２０Ａ〜２０Ｄ）を同軸線上に揃えると、前記第１連結片２１ａは、第２ホルダ本体２’の上段拘束部２０Ｂのスリット２１ｄに嵌め込まれ、第２連結片２１ｂは、第１ホルダ本体の下段受部２０Ｃのスリット２１ｃに嵌め込まれて係合し、一連の筒状に整合する。
また、複数のカップホルダとして使用する場合には、第１ホルダ本体２の上段拘束部２０Ａを回して上記第１連結片２１ａ、第２連結片２１ｂをスリット２１ｄ、２１ｃから外し、２つのカップホルダ本体２、２’が重ならない位置まで変位して使用に供する。
【００３１】
このカップホルダ１は、図８に示すように、支柱部２Ｐをケーシング１５の開口部１６の内壁で中央に設けて回転自在に軸支することで、ホルダ本体２、２’をケーシング１５内に収納される収納位置と、該支柱部２Ｐを支点に１８０度回転させて開口部１６の外側となる使用位置とに変位することができ、更に、各構成部２０Ａから２０Ｄを支柱部２Ｐを支点に開口部１６の外側で重ならないように変位させて２つのカップホルダ本体として使用することができる。
【実施例７】
【００３２】
また、作動部３の構成を前記実施例６と同様とし、カップホルダ１として上記構成で複数のホルダ本体として使用できるようにしてもよい。
この場合、図９（ａ）に示すように、前記支柱部２Ｐを回転プレート７の内側面に固着してある。
これにより、回転プレート７の回転によって、前記実施例５のカップホルダ１を、開口部１６の内側の収納位置と外側の使用位置とに変位させることができる。
上記回転プレート７の回転機構は前記実施例４と同様であるので説明を省略する。
そして、使用位置に変位したカップホルダ１を、前記支柱部２Ｐの枢軸を支点にして複数のホルダ本体２、２’に変位することができる。
【００３３】
図９（ｂ）のカップホルダ１は、支柱部２Ｐから各構成部に対応した複数（図示例では３つ）のアームＡ１〜Ａ３を突出しており、同軸線上に並んで整合する複数（図示例では３つ）のホルダ本体２、２’、２”を枢動可能に支持している。
これによれば、３つのホルダ本体２、２’、２”を重ならないように配列することができる。
【００３４】
また、複数のホルダ本体を同時に使用できるので、外周を同一とし、内側のカップ類を嵌合する凹状受部の形状や寸法を変える（図示せず）ことで、異なるカップ類にフィットするホルダとして利用することもできる。
また、前記実施例では２つの構成部でホルダ本体を構成したが、１つの構成部だけでホルダ本体としてもよい。
【実施例８】
【００３５】
次ぎに、実施例８のカップホルダ１を図１０および図１１に示す。
このカップホルダ１の作動部３は、ホルダ本体２を略９０度変位させてホルダ本体２を開口部１６から出没させる構造からなっている。
本実施例でホルダ本体２は有底の略カップ状からなっており、該ホルダ本体２の側壁には、上方に延びて略９０度に曲成された一対のＬ状ガイドアーム９が突設されている。
【００３６】
このガイドアーム９は、中央に延出方向に沿って略Ｌ状に延びる長孔９ａを穿設している。
一方、ケーシング１５の開口部１６の口縁部には環状の支持片６に係合軸１０が固設されており、前記長孔９ａに嵌合している。
【００３７】
これにより、オペレータがホルダ本体２を外方へ引き出せば、前記ガイドアーム９が係合軸１０にガイドされて摺動し、ホルダ本体２を略直角に変位するので、図１０に示すようにホルダ本体２の底面部１２が起立して開口部１６を塞ぐ収納位置から、図１１に示すようにホルダ本体２の底面部１２が略水平となる使用位置まで変位する。
不使用時には、上記と逆の手順で、ホルダ本体２を略９０度変位して開口部１６内の収納位置に変位する。
【００３８】
本実施例では、開口部１６の内壁面で口縁部に沿って、複数の係合溝６ａを設けている。
一方、ホルダ本体２の底面部１２には、前記係合溝６ａに係脱可能な突部（図示せず）を形成しておき、ホルダ本体２を開口部１６内に収納した際にホルダ本体２の前記突部を係合溝６ａに掛止めて、ホルダ本体２を収納位置にロックすることができる。
【００３９】
なお、この実施例８でも、ガイド手段として前記実施例１、２と同様に長孔９ａを有するガイドアーム９を用いたが、この場合も例えば、ガイドアームをレールとし、開口部１６側には上記レールを受けるガイド溝を設けておく構造、その他の公知のガイド手段を用いることができる。
【００４０】
上記実施例では、作業アタッチメント側のコンソールボックスのケーシング内にカップホルダを出没自在に収納する構成を例示したが、この発明では、運転室の扉側のコンソールボックスのケーシングにカップホルダを設けてもよい。
あるいは、ワイパーボックスのケーシング、その他の各種機器のケーシングにカップホルダを取り付ける構造であってもよい。
その他、要するにこの発明の要旨を変更しない範囲で種々設計変更しうること勿論である。
【図面の簡単な説明】
【００４１】
【図１】実施例１のカップホルダの側面図であり、（ａ）は収納位置、（ｂ）は使用位置を示す図である。
【図２】（ａ）はホルダ本体の内側側から見た斜視図、（ｂ）は外側から見た斜視図である。
【図３】実施例２のカップホルダの側面図であり、（ａ）は収納位置、（ｂ）は使用位置を示す図である。
【図４】実施例３のカップホルダの側面図であり、（ａ）は収納位置、（ｂ）は使用位置を示す図である。
【図５】実施例３の平行リンク機構に代えて伸縮シリンダを用いた実施例４のカップホルダの側面図であり、（ａ）は収納位置、（ｂ）は使用位置を示す図である。
【図６】実施例５のカップホルダの側面図であり、（ａ）は収納位置、（ｂ）は使用位置を示す図である。
【図７】実施例６のホルダ本体の側面図であり、（ａ）は収納位置、（ｂ）は使用位置を示す図である。
【図８】実施例６のカップホルダであって、実線で収納位置を示す斜視図である。
【図９】実施例７のカップホルダであって、（ａ）は実施例５のホルダ本体を実施例６のホルダ本体に置き換えた構造の平面図、（ｂ）は支柱部にアームを介してホルダ本体を取り付けた状態の平面図である。
【図１０】実施例８のカップホルダの収納位置の斜視図であり、（ａ）は外側から見た図、（ｂ）は内側から見た図である。
【図１１】実施例８のカップホルダの使用位置の斜視図であり、（ａ）は外側から見た図、（ｂ）は内側から見た図である。
【図１２】運転室内の従来のカップホルダの取付位置を示す部分斜視図である。
【符号の説明】
【００４２】
１    カップホルダ
２    ホルダ本体
２ａ  上部本体
２ｂ  下部本体
２ｃ  枢軸部
２Ｐ  支柱部
３    作動部
４    円弧状のガイドアーム
４ａ  長孔
５    係合軸
６    支持片
７    回転プレート
８    枢軸部
９    Ｌ状のガイドアーム
９ａ  長孔
１０    係合軸
１２    底面部
１４    コンソールボックス
１５    ケーシング
１６    開口部
３０    平行リンク機構
３０’  シリンダ
【図１】
2005335539.tif 000003
【図２】
2005335539.tif 000004
【図３】
2005335539.tif 000005
【図４】
2005335539.tif 000006
【図５】
2005335539.tif 000007
【図６】
2005335539.tif 000008
【図７】
2005335539.tif 000009
【図８】
2005335539.tif 000010
【図９】
2005335539.tif 000011
【図１０】
2005335539.tif 000012
【図１１】
2005335539.tif 000013
【図１２】
2005335539.tif 000014